(57)【要約】【課題】固定障子の縦アタッチに取り付けた安全カバーを簡単に交換する。【解決手段】上部安全カバー７は、固定障子の縦アタッチと横材との接合部にネジで固定されるもので、上部安全カバー本体部７１と上部切断面覆い部７２とを備え、上部安全カバー本体部７１には、上部安全カバー７が取り付けられる固定障子の縦アタッチの屋内側上部のコーナー部の形状に応じて傾斜した傾斜辺を有し、皿ネジ９１によって縦アタッチ６３の屋内側上部のコーナー部に固定される固定側面部７１ａと、固定側面部７１ａ前部の鉛直辺からほぼ垂直に曲げられてネジの軸部の軸方向と平行に延びる鉛直側面部７１ｂと、固定側面部７１ａの傾斜辺からほぼ垂直に曲げられてネジの軸部の軸方向と平行である見付方向でかつ鉛直方向に延び、固定側面部７１ａの傾斜辺と同様に傾斜した上部側面部７１ｃとを有する。【選択図】図７
2019218705.tif 000002
【特許請求の範囲】
【請求項１】
固定障子の縦アタッチと横材との接合部にネジで固定される安全カバーであって、前記ネジの軸部を通すネジ孔部が形成されていると共に、そのネジ孔部から前記固定障子のガラスの面外方向に向って開口した開口部が形成されていることを特徴とする縦アタッチの安全カバー。
【請求項２】
請求項１記載の縦アタッチの安全カバーにおいて、
前記開口部の上下方向の開口幅は、前記ネジ孔部との境界部分では前記ネジの外径よりも小さく、その境界部分から前記固定障子のガラスの面外方向に向うに従って徐々に広がるように形成されていることを特徴とする縦アタッチの安全カバー。
【請求項３】
請求項１または請求項２記載の縦アタッチの安全カバーは、
前記ネジ孔部および前記開口部が形成され、前記ネジで固定される固定側面部と、
前記固定側面部の上部または下部からほぼ垂直に曲げられ、前記ネジの軸部の軸方向と平行に延びる上部側面部または下部側面部とを有し、
前記上部側面部または前記下部側面部には、前記固定障子側の縦枠においてサッシ枠の面内方向に向かって突出した凸状部に嵌合する嵌合用切欠部が設けられていることを特徴とする縦アタッチの安全カバー。
【請求項４】
サッシ枠に少なくとも一つの固定障子を設けたサッシであって、前記固定障子の縦アタッチに請求項１〜請求項３のいずれか一の請求項に記載の縦アタッチの安全カバーを装着したことを特徴とするサッシ。
【発明の詳細な説明】
【技術分野】
【０００１】
本発明は、固定障子の縦アタッチと横材との接合部にネジで固定される縦アタッチの安全カバー、その安全カバーを固定障子の縦アタッチに装着したサッシに関する。
【背景技術】
【０００２】
例えば、特許文献１には、開き戸の隅部に框の切断端面が外にあらわれないように安全カバーを設ける従来技術が公開されている。
【先行技術文献】
【特許文献】
【０００３】
【特許文献１】実用新案公告第５８−２１９１１号公報
【発明の概要】
【発明が解決しようとする課題】
【０００４】
上述の特許文献１の従来技術では、安全カバーに形成された丸穴形状の係合部にネジを通して框または縦アタッチに取り付けている。また、框等に開口孔を設けて、安全カバーに形成された突起等を係合させることもできるが、火災が発生した場合、安全カバーが溶融すると開口孔が外にあらわれて、そこから火炎が屋内外に貫通して延焼を引き起こす虞がある。よって、安全カバーをネジで固定する必要がある。しかし、安全カバーが破損等して交換する場合には、ネジも取外す必要があり、安全カバーの交換作業が面倒であるという問題がある。
【０００５】
特に、いわゆる嵌め殺しの固定障子の場合、建物に取り付け後は、開きドアや可動障子とは異なり動かず、また安全カバーが設けられる固定障子の縦アタッチが額縁等が近接するので、縦アタッチと額縁との間にドライバー等の工具を入れるスペースが無く、ネジを取外すことができない。よって、安全カバーを交換するには、固定障子（ガラス）をサッシ枠から取り外さなけらばならないため、安全カバーの交換作業が非常に面倒であった。
【０００６】
そこで、本発明はこのような問題に着目してなされたもので、固定障子の縦アタッチに取り付けた安全カバーを簡単に交換することができる縦アタッチの安全カバー、およびそのような安全カバーを固定障子の縦アタッチに装着したサッシを提供することを目的とする。
【課題を解決するための手段】
【０００７】
前記課題を解決するため、本発明に係る縦アタッチの安全カバーは、固定障子の縦アタッチと横材との接合部にネジで固定される安全カバーであって、前記ネジの軸部を通すネジ孔部が形成されていると共に、そのネジ孔部から前記固定障子のガラスの面外方向に向って開口した開口部が形成されていることを特徴とする。
また、本発明に係る縦アタッチの安全カバーでは、前記開口部の上下方向の開口幅は、前記ネジ孔部との境界部分では前記ネジの外径よりも小さく、その境界部分から前記固定障子のガラスの面外方向に向うに従って徐々に広がるように形成されていることも特徴とする。
また、本発明に係る縦アタッチの安全カバーでは、前記ネジ孔部および前記開口部が形成され、前記ネジで固定される固定側面部と、前記固定側面部の上部または下部からほぼ垂直に曲げられ、前記ネジの軸部の軸方向と平行に延びる上部側面部または下部側面部とを有し、前記上部側面部または前記下部側面部には、前記固定障子側の縦枠においてサッシ枠の面内方向に向かって突出した凸状部に嵌合する嵌合用切欠部が設けられていることも特徴とする。
また、本発明に係るサッシは、サッシ枠に少なくとも一つの固定障子を設けたサッシであって、前記固定障子の縦アタッチに上記のいずれかの縦アタッチの安全カバーを装着したことを特徴とする。
【発明の効果】
【０００８】
固定障子の縦アタッチと横材との接合部にネジで固定される本発明に係る安全カバーは、ネジを通すためのネジ孔部を設けていると共に、そのネジ孔部からガラスの面外方向に向って開口した開口部を設けている。
そのため、縦アタッチにネジが固定されたままネジの軸部を安全カバーのネジ孔部から開口部に移動させることにより安全カバーを簡単に取外すことができる共に、その反対に縦アタッチにネジが固定されたネジの軸部に安全カバーの開口部を嵌めてネジ孔部まで押し込んで取り付けることにより、安全カバーを固定しているネジを固定障子の縦アタッチから取外さなくても簡単に安全カバーを取り付けることができる。
また、安全カバーをネジで固定しているので、火災が発生した場合に安全カバーが溶融しても、延焼を引き起こす虞のある貫通孔（開口孔やネジ孔）が発生しない。
【図面の簡単な説明】
【０００９】
【図１】本発明に係る実施形態の片引きサッシの室内側（内観）を示す正面図である。
【図２】本発明に係る実施形態の片引きサッシの水平方向（横方向）断面図である。
【図３】本発明に係る実施形態の片引きサッシの鉛直方向（縦方向）断面図である。
【図４】図１におけるＡ部分の要部水平断面拡大図である。
【図５】図１におけるＢ部分の要部水平断面拡大図である。
【図６】図１におけるＡ部分およびＢ部分の要部鉛直方向断面拡大図である。
【図７】（ａ），（ｂ）それぞれ本発明に係る実施形態の片引きサッシを構成する固定障子の上部安全カバーの斜視図である。
【図８】（ａ）〜（ｄ）それぞれ本発明に係る実施形態の片引きサッシを構成する固定障子の上部安全カバーの平面図、正面図、右側面図、背面図である。
【図９】（ａ），（ｂ）それぞれ本発明に係る実施形態の片引きサッシを構成する固定障子の下部安全カバーの斜視図である。
【図１０】（ａ）〜（ｄ）それぞれ本発明に係る実施形態の片引きサッシを構成する固定障子の下部安全カバーの平面図、正面図、右側面図、背面図である。
【図１１】本発明に係る実施形態の片引きサッシを構成する固定障子の上部安全カバーを交換する際の特徴を示す要部拡大断面図である。
【図１２】本発明に係る実施形態の片引きサッシを構成する固定障子の下部安全カバーを交換する際の特徴を示す要部拡大断面図である。
【発明を実施するための形態】
【００１０】
以下、本発明に係る実施形態の縦アタッチの安全カバーおよび片引きサッシについて、図面を参照して説明する。尚、以下に説明する実施の形態はあくまで本発明の一例であり、本発明が下記に説明する実施の形態に限定されるものではなく、本発明の技術的思想の範囲内で適宜変更可能である。
【００１１】
＜片引きサッシ１の構造＞
本発明に係る実施形態の縦アタッチの安全カバーが適用される片引きサッシ１は、例えば、図１に示すように、上枠２、下枠３および左右の縦枠４，４’により四周枠組みしたサッシ枠の中に、例えば屋外側に露出したレール３１（図３等参照。）を走行する可動障子５と、可動障子５の内側となる屋内側に固定された固定障子６とを納めたもので、サッシ枠の屋内側周囲には額縁Ｇが設けられており、室内側から見て左側に可動障子５、右側に固定障子６が位置するように構成された外動片引きサッシである。
【００１２】
可動障子５は、図２や図３に示すように、上框５１、下框５２、縦框５３および召合せ框５４で囲まれた開口部に２枚のガラス５５，５６を所定間隔離した複層ガラスを設け、下框５２に設けた車輪５７によって下枠３に形成されたレール３１上を移動できるように構成されている。
【００１３】
固定障子６は、図２や図３に示すように、上アタッチ６１、下アタッチ６２、縦アタッチ６３および召合せ方立６４で囲まれた開口部に２枚のガラス６５，６６を所定間隔離した複層ガラスを設け、片引きサッシ１を構成する上枠２や下枠３、内観右側の縦枠４に固定して設けられている。
【００１４】
尚、図２等に示すように、内観右側の縦枠４の屋内側には、額縁Ｇをネジ等（図示省略。）で固定できるように額縁取付け用突出片４２が設けられている一方、内観左側の縦枠４’ の屋内側にも額縁Ｇをネジ等（図示省略。）で固定できるように額縁取付け用突出片４２’が設けられている。また、図３等に示すように、上枠２の屋内側にも、額縁Ｇをネジ等（図示省略。）で固定できるように額縁取付け用突出片２２が設けられている一方、下枠３の屋内側にも額縁Ｇをネジ等（図示省略。）で固定できるように額縁取付け用突出片３２が設けられている。
【００１５】
そして本実施形態では、次に説明するように、この固定障子６の縦アタッチ６３と、横材である上アタッチ６１および下アタッチ６２との接合部である屋内側上下のコーナーにそれぞれ安全カバーとして上部安全カバー７と下部安全カバー８とを設けたことを特徴とする。
【００１６】
＜上部安全カバー７＞
上部安全カバー７は、力を加えると、ある程度変形可能な軟質合成樹脂素材、例えば６ナイロン等の素材で、図７（ａ），（ｂ）および図８（ａ）〜（ｄ）等に示すように上部安全カバー本体部７１と、上部切断面覆い部７２とから構成されている。
【００１７】
（上部安全カバー本体部７１）
上部安全カバー本体部７１は、上部安全カバー７が取り付けられる固定障子６の縦アタッチ６３の屋内側上部のコーナーの形状に応じて傾斜した傾斜辺を有し、図４や図６等に示すように皿ネジ９１によって縦アタッチ６３の屋内側上部のコーナーに固定される固定側面部７１ａと、固定側面部７１ａ前部の鉛直辺からほぼ垂直に曲げられて皿ネジ９１の軸部９１ａ（図４等参照。）の軸方向と平行である見付方向でかつ鉛直方向に延びる鉛直側面部７１ｂと、固定側面部７１ａの傾斜辺からほぼ垂直に曲げられて皿ネジ９１の軸部９１ａの軸方向と平行である見付方向でかつ鉛直方向に延び、固定側面部７１ａの傾斜辺と同様に傾斜した上部側面部７１ｃとを有する。
【００１８】
固定側面部７１ａは、皿ネジ９１を通すためのネジ孔部７１ａ１が形成されていると共に、そのネジ孔部７１ａ１から固定障子６のガラス６５，６６の面外方向（図４において上下方向）に向って開口した開口部７１ａ２が形成されており、上述したようにその上部が固定障子６の縦アタッチ６３の屋内側上部のコーナーの形状に応じて傾斜して構成されている。
【００１９】
ここで、ネジ孔部７１ａ１は、皿ネジ９１が通されて固定されるため、皿ネジ９１の軸部９１ａの外径とほぼ同じ内径で形成されていると共に、皿ネジ９１が通された際、皿ネジ９１の頭部９１ｂ（図４等参照。）が固定側面部７１ａ表面から突出しないよう、その皿ネジ９１の頭部９１ｂの断面形状に応じて内側から外側に向かって拡開する円錐形状に形成されている。
【００２０】
また、開口部７１ａ２は、ネジ孔部７１ａ１から固定障子６のガラス６５，６６の面外方向に向って開口しており、開口部７１ａ２の上下方向の開口幅がネジ孔部７１ａ１との境界部分では皿ネジ９１の外径よりも小さく、その境界部分から固定障子６のガラス６５，６６の面外方向に向うに従って徐々に広がるように形成されていると共に、皿ネジ９１の頭部９１ｂの断面形状である円錐台形状に応じて縦アタッチ６３表面側から離れるに従って拡径となるように形成している。
【００２１】
鉛直側面部７１ｂは、縦アタッチ６３の第１屋内側面６３ｂにおいて屋内側上部のコーナーの垂直面をカバーする側面で、その一部を切欠いて、当該上部安全カバー７を取外す際、ドライバー等の工具先端部が挿入可能なように切欠部７１ｂ１を設けている。
【００２２】
上部側面部７１ｃは、固定側面部７１ａ上部の傾斜辺からほぼ垂直に曲げられて皿ネジ９１の軸部９１ａの軸方向と平行である見付方向に延びて傾斜した側面であって、縦アタッチ６３の屋内側上部の傾斜面の上面（加工面）を覆って、固定側面部７１ａのネジ孔部７１ａ１に通された皿ネジ９１と共に、縦アタッチ６３の屋内側上部のコーナーに上部安全カバー７を安定して固定できるよう固定障子６側の縦枠４の屋内側面４１においてサッシ枠の面内方向（図４において左右方向）でこの片引きサッシ１の中央に向かって突出する凸状部４１ａ（図４参照。）が嵌合する嵌合用切欠部７１ｃ１を設けている。
【００２３】
また、上部側面部７１ｃの裏側には、さらに縦アタッチ６３の屋内側上部のコーナーに上部安全カバー７を安定して固定できるように、上部切断面覆い部７２と連続するものの上部切断面覆い部７２よりも幅および長さが小さく突出し、縦アタッチ６３外側面において見付け方向でこの片引きサッシ１の中央に向かって凹んだ凹状溝６３ａ（図１１等参照。）に嵌合する嵌合用凸部７１ｃ２を設けている。
【００２４】
（上部切断面覆い部７２）
上部切断面覆い部７２は、上部安全カバー７を縦アタッチ６３に取り付けた際、上部安全カバー本体部７１から上方に延び、縦アタッチ６３の第２屋内側面６３ｃにおいて上部コーナーの切断面（加工面）を覆うように構成されている。
【００２５】
＜下部安全カバー８＞
下部安全カバー８も、上部安全カバー７と同様に６ナイロン等の軟質合成樹脂素材で、図９（ａ），（ｂ）および図１０（ａ）〜（ｄ）に示すように下部安全カバー本体部８１と、下部切断面覆い部８２とから構成されている。
【００２６】
（下部安全カバー本体部８１）
下部安全カバー本体部８１は、下部安全カバー８が取り付けられる固定障子６の縦アタッチ６３の屋内側下部のコーナーの形状に応じて傾斜した傾斜辺を有し、図５や図６等に示すように皿ネジ９２によって縦アタッチ６３の屋内側下部のコーナーに固定される固定側面部８１ａと、固定側面部８１ａ前部鉛直辺からほぼ垂直に曲げられて皿ネジ９２の軸部９２ａ（図５等参照。）の軸方向と平行である見付方向でかつ鉛直方向に延びる鉛直側面部８１ｂと、固定側面部８１ａの傾斜辺からほぼ垂直に曲げられて皿ネジ９２の軸部９２ａの軸方向と平行である見付方向でかつ鉛直方向に延びて傾斜した下部側面部８１ｃとを有する。
【００２７】
固定側面部８１ａは、皿ネジ９２を通すためのネジ孔部８１ａ１が形成されていると共に、そのネジ孔部８１ａ１から固定障子６のガラス６５，６６の面外方向に向って開口した開口部８１ａ２が形成されており、上述したようにその下部が固定障子６の縦アタッチ６３の屋内側下部のコーナーの形状に応じて傾斜して構成されている。
【００２８】
ここで、ネジ孔部８１ａ１は、皿ネジ９２が通されて固定されるため、皿ネジ９２の軸部９２ａの外径とほぼ同じ内径で形成されていると共に、皿ネジ９２が通された際、皿ネジ９２の頭部９２ｂ（図５等参照。）が固定側面部８１ａ表面から突出しないよう、その皿ネジ９２の頭部９２ｂの断面形状に応じて内側から外側に向かって拡開する円錐形状に形成されている。
【００２９】
また、開口部８１ａ２は、ネジ孔部８１ａ１から固定障子６のガラス６５，６６の面外方向に向って開口しており、開口部８１ａ２の上下方向の開口幅は、ネジ孔部８１ａ１との境界部分では皿ネジ９２の外径よりも小さく、その境界部分から固定障子６のガラス６５，６６の面外方向に向うに従って徐々に広がるように形成されていると共に、皿ネジ９２の頭部９２ｂの断面形状である円錐台形状に応じて縦アタッチ６３表面側から離れるに従って拡径となるように形成している。
【００３０】
鉛直側面部８１ｂは、縦アタッチ６３の第１屋内側面６３ｂにおいて屋内側下部のコーナーの垂直面をカバーする側面で、その一部を切欠いて、当該下部安全カバー８を取外す際、ドライバー等の工具先端部が挿入可能な切欠部８１ｂ１を設けている。
【００３１】
下部側面部８１ｃは、固定側面部８１ａ下部の傾斜辺からほぼ垂直に曲げられてネジの軸部の軸方向と平行である見付方向でかつ鉛直方向に延びて傾斜した側面であって、縦アタッチ６３の屋内側下部の傾斜面の下面（加工面）を覆って、固定側面部８１ａのネジ孔部８１ａ１に通された皿ネジ９２と共に、縦アタッチ６３の屋内側下部のコーナーに下部安全カバー８を安定して固定できるよう固定障子６側の縦枠４の屋内側面４１においてサッシ枠の面内方向でこの片引きサッシ１の中央に向かって突出する凸状部４１ａ（図５参照。）が嵌合する嵌合用切欠部８１ｃ１を設けている。
【００３２】
また、下部側面部８１ｃの裏側には、さらに縦アタッチ６３の屋内側下部のコーナーに下部安全カバー８を安定して固定できるように、下部切断面覆い部８２と連続するものの上部切断面覆い部７２よりも幅および長さが小さく突出し、縦アタッチ６３の凹状溝６３ａ（図１２等参照。）に嵌合する嵌合用凸部８１ｃ２を設けている。
【００３３】
（下部切断面覆い部８２）
下部切断面覆い部８２は、下部安全カバー８を縦アタッチ６３に取り付けた際、下部安全カバー本体部８１から下方に延び、縦アタッチ６３の第２屋内側面６３ｃにおいて下部コーナーの切断面（加工面）を覆うように構成されている。
【００３４】
＜実施形態の上部安全カバー７等の交換方法＞
次に、以上のように構成された実施形態の上部安全カバー７および下部安全カバー８の交換方法について説明する。
【００３５】
（上部安全カバー７の交換）
例えば、固定障子６の縦アタッチ６３の上部コーナーに装着済みの上部安全カバー７が破損等して交換する場合、本実施形態では、まず、その上部安全カバー７を縦アタッチ６３に固定（螺合）している皿ネジ９１は緩めることも取外すこともなく縦アタッチ６３に固定したまま、上部安全カバー７の上部安全カバー本体部７１を図１１上、時計回りである矢印方向に持ち上げる。
【００３６】
その際、必要あれば、上部安全カバー本体部７１の鉛直側面部７１ｂの切欠部７１ｂ１にドライバー等の工具先端部を挿入して上部安全カバー７の上部安全カバー本体部７１を縦アタッチ６３から浮き上がらせた後、持ち上げるようにしても良い。
【００３７】
すると、上部安全カバー７は弾性変形可能な６ナイロン等の軟質合成樹脂から成形されているため、図１１に示すように上部安全カバー本体部７１が上部切断面覆い部７２に対し曲がり、縦アタッチ６３に固定したままの皿ネジ９１から上部安全カバー７のネジ孔部７１ａ１がずれ、そのネジ孔部７１ａ１に連続している開口部７１ａ２を通って、縦アタッチ６３に皿ネジ９１を固定したまま上部安全カバー本体部７１を取外すことができる。
【００３８】
そしてさらに上部安全カバー本体部７１を引き上げると、図１１に示すように、上枠２と縦アタッチ６３との間の隙間Ｓに挿入されていた上部切断面覆い部７２がその隙間Ｓから抜ける一方、縦アタッチ６３の凸状部４１ａに嵌合していた嵌合用切欠部７１ｃ１と、縦アタッチ６３の外側面に形成されている上下方向に延びる凹状溝６３ａ上端部に挿入ないしは嵌合していた嵌合用凸部７１ｃ２も抜け、破損等した旧い上部安全カバー７を縦アタッチ６３の上部コーナーから完全に取外すことができる。
【００３９】
そして新しい上部安全カバー７を縦アタッチ６３に装着する場合は、以上の動作とは反対の作業を行う。つまり、まずは、図１１に示すように、上部安全カバー７の上部切断面覆い部７２を上枠２と縦アタッチ６３との間の隙間Ｓに挿入すると共に、嵌合用凸部７１ｃ２を縦アタッチ６３の凹状溝６３ａ上部に挿入ないしは嵌合しつつ、嵌合用切欠部７１ｃ１を縦アタッチ６３の凸状部４１ａに嵌合する。
【００４０】
次に、上部安全カバー本体部７１の開口部７１ａ２に、縦アタッチ６３に固定したままの皿ネジ９１の軸部９１ａが入り込むように上部安全カバー本体部７１を縦アタッチ６３に向け押圧して、上部安全カバー７のネジ孔部７１ａ１に皿ネジ９１の軸部９１ａを嵌め入れる。これで縦アタッチ６３の上部コーナーへの新しい上部安全カバー７の装着が完了する。
【００４１】
（下部安全カバー８の交換）
上部安全カバー７を交換する場合と同様に、固定障子６の縦アタッチ６３の下部コーナーに装着済みの下部安全カバー８が破損等して交換する場合も、下部安全カバー８を縦アタッチ６３に固定（螺合）している皿ネジ９２は緩めることも取外すこともなく縦アタッチ６３に固定したまま、下部安全カバー８の下部安全カバー本体部８１を図１２上、反時計回りである矢印方向に引き下げる。
【００４２】
その際、必要あれば、下部安全カバー本体部８１の鉛直側面部８１ｂの切欠部８１ｂ１にドライバー等の工具先端部を挿入して下部安全カバー８の下部安全カバー本体部８１を縦アタッチ６３から浮き上がらせた後、作業者が下部安全カバー本体部８１を引き下げるようにしても良い。
【００４３】
すると、下部安全カバー８も上部安全カバー７と同様に弾性変形可能な６ナイロン等の軟質合成樹脂から成形されているため、図１２に示すように下部安全カバー本体部８１が下部切断面覆い部８２に対し曲がり、縦アタッチ６３に固定したままの皿ネジ９２から下部安全カバー８のネジ孔部８１ａ１がずれ、そのネジ孔部８１ａ１に連続している開口部８１ａ２を通って、縦アタッチ６３に皿ネジ９２を固定したまま下部安全カバー本体部８１を取外すことができる。
【００４４】
そしてさらに下部安全カバー本体部８１を引き下げると、図１２に示すように、縦アタッチ６３の凸状部４１ａに嵌合していた嵌合用切欠部８１ｃ１と、縦アタッチ６３の凹状溝６３ａ下端部に挿入ないしは嵌合していた嵌合用凸部８１ｃ２が抜け、破損等した旧い下部安全カバー８を縦アタッチ６３の下部コーナーから完全に取外すことができる。
【００４５】
尚、下部安全カバー８の場合、図６や図１２等に示すように、上部安全カバー７の場合とは異なり下部切断面覆い部８２が上枠２と縦アタッチ６３との間の隙間Ｓに挿入されずほとんど露出しているので、先に下部切断面覆い部８２を掴んで手前に引っ張り、下部安全カバー本体部８１を時計回りに回転させて引き上げるようにして取外しても良い。
【００４６】
そして新しい下部安全カバー８を縦アタッチ６３に装着する場合は、以上の動作とは反対の作業を行う。つまり、まずは、図１２に示すように、下部安全カバー８の嵌合用凸部８１ｃ２を縦アタッチ６３の凹状溝６３ａ下部に挿入ないしは嵌合しつつ、嵌合用切欠部８１ｃ１を縦アタッチ６３の凸状部４１ａに嵌合し、その後、下部安全カバー本体部８１の開口部８１ａ２に、縦アタッチ６３に固定したままの皿ネジ９２の軸部９２ａが入り込むように下部安全カバー本体部８１を縦アタッチ６３に向け押圧して、下部安全カバー８のネジ孔部８１ａ１に皿ネジ９２の軸部９２ａを嵌め入れる。これで縦アタッチ６３の下部コーナーへの新しい下部安全カバー８の装着が完了する。
【００４７】
尚、下部安全カバー８の場合、上述したように下部切断面覆い部８２が上枠２と縦アタッチ６３との間の隙間Ｓに挿入されずほとんど露出しているので、先に下部安全カバー本体部８１を皿ネジ９２の軸部９２ａを嵌め入れ、その後、嵌合用切欠部８１ｃ１を縦アタッチ６３の凸状部４１ａに嵌合しつつ、嵌合用凸部８１ｃ２を縦アタッチ６３の凹状溝６３ａ下部に挿入ないしは嵌合するようにしても良い。
【００４８】
＜実施形態の安全カバー７，８の主な効果＞
以上説明したように実施形態の固定障子６の安全カバーである上部安全カバー７および下部安全カバー８は、それぞれ、例えば６ナイロン等の軟質合成樹脂で成型し、それらには固定障子６の縦アタッチ６３に固定する皿ネジ９１，９２が通るネジ孔部７１ａ１、８１ａ１を設けると共に、そのネジ孔部７１ａ１、８１ａ１から固定障子６のガラスの面外方向に向って開口した開口部７１ａ２、８１ａ２を設けている。
【００４９】
そのため、固定障子６の縦アタッチ６３に取り付けた上部安全カバー７および下部安全カバー８が破損等して交換する場合、上部安全カバー７および下部安全カバー８を縦アタッチ６３に固定（螺合）している皿ネジ９１，９２を緩めることも取外すこともなくその状態のまま縦アタッチ６３に固定したままで、図１１や図１２に示すように、皿ネジ９１，９２の軸部９１ａ，９２ａを上部安全カバー７および下部安全カバー８のネジ孔部７１ａ１、８１ａ１から開口部７１ａ２、８１ａ２に移動させることにより上部安全カバー７および下部安全カバー８を簡単に取外すことができる。
【００５０】
また、その反対に縦アタッチ６３に固定したままの皿ネジ９１，９２に新しい上部安全カバー７および下部安全カバー８を取り付ける場合には、縦アタッチ６３に固定したままの皿ネジ９１，９２の軸部９１ａ，９２ａを上部安全カバー７および下部安全カバー８の開口部７１ａ２、８１ａ２から入れてネジ孔部７１ａ１、８１ａ１に押し込んで移動させることにより皿ネジ９１，９２に新しい上部安全カバー７および下部安全カバー８を取り付けることができる。
【００５１】
その結果、固定障子６の縦アタッチ６３に取り付けた上部安全カバー７および下部安全カバー８が破損等して交換する場合、皿ネジ９１，９２を縦アタッチ６３から取外すことなく簡単に新しい上部安全カバー７および下部安全カバー８それぞれを取り付けることができるので、上部安全カバー７や下部安全カバー８が破損等した際、それらの交換が容易となり、上部安全カバー７および下部安全カバー８の交換作業等の作業性を向上させることができる。
【００５２】
また、上部安全カバー７および下部安全カバー８をそれぞれ皿ネジ９１，９２ネジで固定しているので、火災が発生した場合に安全カバー７，８が溶融しても、延焼を引き起こす虞のある貫通孔（開口孔やネジ孔）が発生せず、防火性能も向上させることができる。
【００５３】
また、上部安全カバー７および下部安全カバー８の開口部７１ａ２，８１ａ２の上下方向の開口幅は、ネジ孔部７１ａ１，８１ａ１との境界部分ではそれぞれを固定する皿ネジ９１，９２の軸部９１ａ，９２ａの外径よりも小さく、その境界部分から固定障子６のガラス６５，６６の面外方向に向うに従って徐々に広がるように形成している。
【００５４】
そのため、上部安全カバー７および下部安全カバー８をそれぞれ皿ネジ９１，９２で縦アタッチ６３に装着した場合、脱落等せずに確実に装着できる。また、皿ネジ９１，９２を縦アタッチ６３に固定（螺合）したままで上部安全カバー７および下部安全カバー８を引張って取外す場合には、皿ネジ９１，９２の軸部９１ａ，９２ａの外径よりも上下の開口幅が狭い開口部７１ａ２，８１ａ２とネジ孔部７１ａ１，８１ａ１との境界部分が弾性変形し易くなるので、この点でも上部安全カバー７および下部安全カバー８の交換作業等の作業性を向上させることができる。
【００５５】
特に、上部安全カバー７および下部安全カバー８それぞれのネジ孔部７１ａ１，８１ａ１および開口部７１ａ２，８１ａ２は、これらの安全カバー７，８を縦アタッチ６３に固定する皿ネジ９１，９２の頭部９１ｂ，９２ｂの形状である円錐台形状に応じて縦アタッチ６３表面側から離れるに従って拡径となるように形成しているため、この点でも開口部７１ａ２，８１ａ２とネジ孔部７１ａ１，８１ａ１との境界部分が弾性変形し易くなり、上部安全カバー７および下部安全カバー８の交換作業等の作業性を向上させることができる。
【００５６】
また、本発明に係る実施形態の固定障子６の上部安全カバー７および下部安全カバー８は、固定側面部７１ａ，８１ａの上部の傾斜辺からほぼ垂直に曲げられ、皿ネジ９１，９２の軸部９１ａ，９２ａの軸方向と平行である見付方向に延びる上部側面部７１ｃおよび下部側面部８１ｃを有し、上部側面部７１ｃおよび下部側面部８１ｃには、固定障子６側の縦枠４の屋内側面４１においてこの片引きサッシ１の中央に向かって突出する凸状部４１ａ（図４や図５等参照。）が嵌合する嵌合用切欠部７１ｃ１，８１ｃ１を設けている。
【００５７】
そのため、本発明に係る実施形態の固定障子６の上部安全カバー７および下部安全カバー８、およびこれらが装着された片引きサッシ１によれば、これらの安全カバー７，８は、固定側面部７１ａ，８１ａのネジ孔部７１ａ１，８１ａ１に通された皿ネジ９１，９２だけでなく、上部側面部７１ｃおよび下部側面部８１ｃに形成された嵌合用切欠部７１ｃ１，８１ｃ１に縦枠４の屋内側面４１の凸状部４１ａ（図４や図５等参照。）が嵌合して固定されるので、縦枠４に対する位置が決まり、より確実に縦アタッチ６３に装着することが可能となる。
【００５８】
尚、上記実施形態の説明では、固定障子６の縦アタッチの上部コーナーと下部コーナーのそれぞれに上部安全カバー７と下部安全カバー８を設けるものとして説明したが、本発明では、これに限らず、固定障子６の縦アタッチの上部コーナーと下部コーナーのいずれか一方に安全カバーを設けるようにしても勿論良い。
【００５９】
また、上記実施形態の説明では、皿ネジ９１，９２で上部安全カバー７および下部安全カバー８を縦アタッチ６３に固定して説明したが、本発明では、これに限らず、頭部が半球状の通常のネジ（鍋ネジ等）で固定するようにしても勿論良い。
【００６０】
また、上記実施形態の説明では、サッシ枠の中に、屋外側の可動障子５と屋内側の固定障子６とを納めた外動片引きサッシ１の固定障子６の縦アタッチ６３の上部安全カバー７および下部安全カバー８を一例に説明したが、本発明ではこれに限らず、屋内側の可動障子５と屋外側の固定障子６とを納めた内動片引きサッシや、可動障子５を備えない固定障子６（ガラス）のみのサッシ（ＦＩＸサッシ）の縦アタッチの安全カバーに適用するようにしても勿論良い。
【符号の説明】
【００６１】
１  片引きサッシ
２  上枠
２２  額縁取付け用突出片
３  下枠
３２  額縁取付け用突出片
３１  レール
４，４’  縦枠
４１  屋内側面
４１ａ  凸状部
４２，４２’  額縁取付け用突出片
５  可動障子
５１  上框
５２  下框
５３  縦框
５４  召合せ框
５５，５６  ガラス
６  固定障子
６１  上アタッチ（横材）
６２  下アタッチ（横材）
６３  縦アタッチ
６３ａ  凹状溝
６３ｂ  第１屋内側面
６３ｃ  第２屋内側面
６４  召合せ方立
６５，６６  ガラス
７  上部安全カバー
７１  上部安全カバー本体部
７１ａ  固定側面部
７１ａ１  ネジ孔部
７１ａ２  開口部
７１ｂ  鉛直側面部
７１ｂ１  切欠部
７１ｃ  上部側面部
７１ｃ１  嵌合用切欠部
７１ｃ２  嵌合用凸部
７２  上部切断面覆い部
８  下部安全カバー
８１  下部安全カバー本体部
８１ａ  固定側面部
８１ａ１  ネジ孔部
８１ａ２  開口部
８１ｂ  鉛直側面部
８１ｂ１  切欠部
８１ｃ  下部側面部
８１ｃ１  嵌合用切欠部
８１ｃ２  嵌合用凸部
８２  下部切断面覆い部
９１，９２  皿ネジ
９１ａ，９２ａ  軸部
９１ｂ，９２ｂ  頭部
Ｇ  額縁
Ｓ  隙間
【図１】
2019218705.tif 000003
【図２】
2019218705.tif 000004
【図３】
2019218705.tif 000005
【図４】
2019218705.tif 000006
【図５】
2019218705.tif 000007
【図６】
2019218705.tif 000008
【図７】
2019218705.tif 000009
【図８】
2019218705.tif 000010
【図９】
2019218705.tif 000011
【図１０】
2019218705.tif 000012
【図１１】
2019218705.tif 000013
【図１２】
2019218705.tif 000014